(57)【要約】【課題】熱交換器を提供する。【解決手段】第１熱交換ユニット１０と、仕切り部１１と、第２熱交換ユニット１２とを含む。第１熱交換ユニット１０は金属を鋳造してなり、その上に第１穴部１０１と第２穴部１０２がそれぞれ貫設されている。仕切り部１１の両側面にそれぞれ流路が設けられており、仕切り部１１に各流路の一端をくぐらす第３穴部１１３が設けられている。仕切り部１１は一つの流路に対応する他端の位置に第４穴部１１４が設けられ、もう一つの流路他端の位置は第１穴部１０１に連絡されている。仕切り部１１の一表面は第１熱交換ユニット１０の一表面と水密に貼り付けられることによって、第４穴部１１４と第２穴部１０２とが連絡する。第２熱交換ユニット１２は金属を鋳造してなり、その一表面は仕切り部１１のもう一つの表面と水密に貼り付けられている。【選択図】図１
0003161676.tif 000002
【実用新案登録請求の範囲】
【請求項１】
第１熱交換ユニットと、仕切り部と、第２熱交換ユニットとを備えた熱交換器において、
前記第１熱交換ユニットは伝熱部材からなり、その上に第１穴部及び第２穴部が貫設され、
前記仕切り部は弾性部材からなり、その一表面に第１流路が設けられ、他の表面に第２流路が設けられ、前記一表面から前記他の表面にかけて前記第１流路の一端と前記第２流路の一端をくぐらす第３穴部が設けられ、前記第２流路の他端の位置に第４穴部が設けられ、
前記仕切り部の一表面は前記第１熱交換ユニットの一表面と水密に貼り付けられることによって、前記第１流路の他端と前記第１穴部とが連絡され、前記第４穴部と前記第２穴部とが連絡され、
前記第２熱交換ユニットの一表面は前記仕切り部の前記他の表面と水密に貼り付けられている熱交換器。
【請求項２】
前記第１熱交換ユニットの他の表面に取付け溝が開けられ、取付け溝に温度制御装置が設けられていることを特徴とする請求項１記載の熱交換器。
【請求項３】
さらに電気制御回路板を備え、
前記電気制御回路板は前記温度制御装置と電気導通され、前記温度制御装置の温度を制御することを特徴とする請求項２記載の熱交換器。
【請求項４】
さらに、温度センサーを備え、
前記温度センサーは前記第１熱交換ユニットまたは前記第２熱交換ユニットに取り付けられ、かつ前記電気制御回路板と電気導通され、前記第１熱交換ユニットまたは前記第２熱交換ユニットの温度検出を行い、前記第１熱交換ユニットまたは前記第２熱交換ユニットの温度が所定の温度範囲を超えたとき、前記電気制御回路板に稼働中止の指令をすることを特徴とする請求項３記載の熱交換器。
【考案の詳細な説明】
【技術分野】
【０００１】
本考案は熱交換器に関し、特に一種の熱交換器の両側は伝熱金属からなる。熱交換器の内部に複数の流路を設け液体循環装置の循環液体を誘導し、温度制御装置を介して循環液体に対する加熱または冷却の熱交換作業を行う。
【背景技術】
【０００２】
従来は一種の低エネルギー消費の液体循環パッドでは、所定の温度に加熱又は冷却（たとえば、摂氏２８度または２２度）された循環液体をパッド部材に誘導することによって、その循環液体をパッドにて流動させ、パッド部材の表面を所定の温度に維持させる。
【０００３】
詳しくいうと、循環液体を液体循環装置に加熱または冷却させるときには、まず循環液体を液体循環装置内部の熱交換パイプに入れる。熱交換パイプは伝熱金属の鋳造体であり、その外観は湾曲状を形成し熱交換パイプの中段部分を熱交換タンクに浸ける。これによって、使用者が熱交換タンクに角氷を入れると、角氷は熱交換パイプを介して、循環液体の熱エネルギーを吸収して循環液体は冷却される。これに対して、使用者は加熱棒によって熱交換タンクの水を加熱させ、熱エネルギーは熱交換パイプを介して、循環液体に伝導および加熱される。このように、液体循環装置より冷却または加熱された循環液体をパッド部材に導入することによって、使用者は涼しいまたは温かいパッド部材に横たわって休憩することができる。
【考案の概要】
【考案が解決しようとする課題】
【０００４】
ただし、考案者が市場調査した結果、熱交換パイプは実務運用面で、種々の不便がある。
【０００５】
（イ）  液体循環装置は熱交換パイプを循環液体に加熱するには、新たに熱交換タンクを設けて、熱交換パイプと合わせて循環液体に加熱する必要がある。一方、使用者は角氷で循環液体を冷却させる場合、まず角氷を熱交換タンクに入れなければならない。しかし、熱交換タンクはすでに所定の水が入っているため、角氷は熱交換タンクの水と循環液体の熱エネルギーとを吸収しなければならない（すなわち、角氷は熱交換するために大量な水が必要）。このため、冷却効率が大幅に低減されるほか、冷却時間の大幅増等の問題が残る。これに対して、使用者は加熱棒で循環液体を加熱させるとき、加熱棒は熱交換タンクの水と循環液体を加熱しなければならない（すなわち、加熱棒は加熱するために大量な水が必要）。よって、加熱効率と保温効果とも大幅に低減される。
【０００６】
（ロ）  通常、業者は熱交換パイプの設計にあたり、より良い熱交換効率を図るため、熱交換パイプの管壁は薄く設計されている。しかし、管壁の薄い熱交換パイプの構造が弱くなる。よって、組み立てするとき作業者の不注意または、使用者が角氷を熱交換タンクに入れるときに角氷が熱交換パイプにぶつかって、熱交換パイプに変形または破裂を引き起す問題が残る。
【０００７】
よって、省エネと環境保護対策の条件を満足でき、熱交換パイプの欠点を改善することは業者が努力する重要な課題である。
【０００８】
よって、考案者は長い期間の研究と実験を重ねた結果、本考案による熱交換器を考案した。本考案は、従来の熱交換器の欠点改善を図るものである。
【課題を解決するための手段】
【０００９】
本考案は一種の熱交換器を提供するものである。熱交換器に仕切り部を備え、仕切り部の両面に第１と第２流路を設けられ、各流路の一端は互いに連絡されており、仕切り部は第２流路に対応する他端の位置に穴部を設け、仕切り部が第１流路に対応する表面を第１熱交換ユニットに貼り付け、仕切り部もう一つの表面は第２熱交換ユニットに貼り付ける。そのうち、第２熱交換ユニットに第１と第２穴部を設け、第１穴部は第１流路の他端に連絡され、第２穴部は前記穴部に対応し連絡されている。本考案による熱交換器の構造はプレート状を形成しており、湾曲状の従来の熱交換器より丈夫である。さらに第１と第２穴部はそれぞれ液体循環装置の吐き出しパイピングと吸込みパイピングとを水密に接続しておき、液体循環装置は循環液体を熱交換器に循環流動できる。よって、使用者は各熱交換ユニットに温度制御装置を取り付けて、熱交換器を介して液体循環装置の循環液体に加熱または冷却することができる。
【００１０】
本考案は、第１熱交換ユニットに温度制御装置を取付けることによって、温度制御装置が第１熱交換ユニットを介して循環液体に加熱または冷却することができる。
【００１１】
本考案は、熱交換器はさらに温度センサーを設けることによって、温度センサーを介して第１または第２熱交換ユニットの温度を引き続き計測し温度制御装置を制御することができる。
【図面の簡単な説明】
【００１２】
【図１】本考案の一実施形態の分解図である。
【図２】本考案もう一つの分解図である。
【図３】本考案もう一つの実施形態の分解図である。
【考案を実施するための形態】
【００１３】
本考案の実施形態を図面に基づいて説明する。
図１に示す本考案による熱交換器の一実施形態において、熱交換器１は第１熱交換ユニット１０と、仕切り部１１と、第２熱交換ユニット１２とを備える。そのうち、第１熱交換ユニット１０は伝熱金属（たとえば、アルミまたは銅）を鋳造してなる。その上に第１穴部１０１と第２穴部１０２とを貫設されている。図２を参照する。仕切り部１１は弾性部材（たとえば、シリコン、プラスチックまたはゴム）からなり、その一表面に第１流路１１１を、他の表面に第２流路１１２をそれぞれ設ける。仕切り部１１に第１と第２流路１１１、１１２の一端をくぐらす第３穴部１１３が貫設され、かつ仕切り部１１は第２流路１１２に対応する他端の位置はさらに第４穴部１１４が設けられている。仕切り部１１の一表面は第１熱交換ユニット１０の一表面と水密に貼り付けることによって、第１流路１１１の他端と第１穴部１０１に対応し連絡するとともに、第４穴部１１４と第２穴部１０２とを対応し連絡できる。第２熱交換ユニット１２は伝熱金属（たとえば、アルミまたは銅）を鋳造してなり、その一表面は仕切り部１１の他の表面と水密に貼り付けられている。
【００１４】
本考案による熱交換器１の構造はプレート状を形成しており、構造強度面で湾曲状の従来の熱交換器より丈夫であり、変形または破裂を引き起こしにくい。第１穴部１０１と第２穴部１０２は液体循環装置２の吐き出しパイピング２０と吸込みパイピング２１と水密に接続されているため、液体循環装置２は循環液体（たとえば、水）を吐き出しパイピング２０と第１穴部１０１を経由して、第１流路１１１に進入した後、第１流路１１１の他端を介して第１流路１１１の一端に誘導される。その後、循環液体は第３穴部１１３より第２流路１１２の一端に進入して、第２流路１１２の一端より第２流路１１２の他端に誘導される。最後に、循環液体は第４穴部１１４、第２穴部１０２と吸込みパイピング２１を経て液体循環装置２に進入され再循環が行われる。よって、使用者は各熱交換ユニット１０、１２に温度制御装置１３（たとえば、ヒーターまたはペルチェ素子）を取付けることによって、熱交換器１を介して、液体循環装置２に収納された循環液体に対し素早く加熱または冷却の熱交換を行うことができる。
【００１５】
本考案もう一つの実施形態は図３に示すように、熱交換器３は第１熱交換ユニット３０と、仕切り部３１と、第２熱交換ユニット３２とを備える。そのうち、第１熱交換ユニット３０の一表面に第１流路３００が設けられ、第１熱交換ユニット３０は第１流路３００に対応する一端の位置に第１穴部３０１が貫設されており、第１熱交換ユニット３０は第１流路３００の位置はさらに第２穴部３０２が貫設されている。仕切り部３１は弾性部材からなり、その上に第３穴部３１３と第４穴部３１４とが貫設されている。仕切り部３１の一表面は第１熱交換ユニット３０の一表面と水密に貼り付けられている。第３穴部３１３は第１流路３００の他端に対応し第４穴部３１４と第２穴部３０２と対応して連絡されている。第２熱交換ユニット３２の一表面に第２流路３２０を設けられ、第２熱交換ユニット３２の一表面は仕切り部３１のもう一つの表面と水密に貼り付けることによって、第２流路３２０の一端と第３穴部３１３と互いに対応し第２流路３２０の他端と第４穴部３１４と互いに対応する。これにより、前述の効果を達成することができる。
【００１６】
他の実施形態は図２に示すように、第１熱交換ユニット１０の他面に取付け溝１０３を開けられ、取付け溝１０３に温度制御装置１３を設けられている。温度制御装置１３はヒーターまたはペルチェ素子である。これにより、使用者は熱交換器１より循環液体に加熱または冷却したいときは温度制御装置１３を起動させ、温度制御装置１３より第１熱交換ユニット１０を介して熱交換器１で循環流動する循環液体の加熱または冷却ができる。よって、温度制御装置１３による加熱または冷却のときに外部の温度影響によって、温度制御効果の低減を防止できる。
【００１７】
さらに、この実施形態において、熱交換器１はさらに電気制御回路板１３０を設けられ、電気制御回路板１３０は温度制御装置１３を制御するための温度制御装置１３と電気導通することによって、温度制御装置１３は第１熱交換ユニット１０を介して循環液体に対する加熱または冷却を安定に行う。熱交換器１はさらに温度センサー１４を備え、第１熱交換ユニット１０または第２熱交換ユニット１２の温度を継続的に計測できるよう、温度センサー１４を第１熱交換ユニット１０または第２熱交換ユニット１２に取り付ける。温度センサー１４は電気制御回路板１３０と電気導されており、温度センサー１４によって第１熱交換ユニット１０または第２熱交換ユニット１２の温度が所定の温度範囲（たとえば、高温が摂氏４５度または低温が摂氏１０度）を超えたとき、温度センサー１４より電気制御回路板１３０に稼働中止の指令を発信し、電気制御回路板１３０を介して使温度制御装置１３の加熱または冷却を中止される。このように、温度センサー１４を取り付けることによって、温度制御装置１３が循環液体に対する加熱または冷却のとき、循環液体が熱すぎ、または冷た過ぎて、使用者が火傷または凍傷を負う危険が避けられ、熱交換器１使用の安全性が向上する。
【００１８】
実施形態において、図１に示すように第２熱交換ユニット１２は伝熱金属の鋳造体に限らない。業者は熱交換器１を実施するとき、コストダウンのため、第２熱交換ユニット１２の材質、たとえば、弾性部材に変えることもできる。
【００１９】
前述に続き、図１と２を参照する。本考案による熱交換器１は主に温度制御装置１３によって、各流路１１１、１１２で循環流動されている循環液体に加熱または冷却を行い、従来の熱交換パイプの組立または使用のときに変形あるいは破裂問題が解決され、従来の熱交換パイプによる循環液体の加熱または冷却するときの効率よくない問題も合わせて解決される。
【符号の説明】
【００２０】
１、３          ・・・熱交換器
１０、３０      ・・・第１熱交換ユニット
１０１、３０１  ・・・第１穴部
１０２、３０２  ・・・第２穴部
１０３、３０３  ・・・取付け溝
１１、３１      ・・・仕切り部
１１１、３００  ・・・第１流路
１１２、３２０  ・・・第２流路
１１３、３１３  ・・・第３穴部
１１４、３１４  ・・・第４穴部
１２、３２      ・・・第２熱交換ユニット
１３            ・・・温度制御装置
１３０          ・・・電気制御回路板
１４            ・・・温度センサー
２              ・・・液体循環装置
２０            ・・・吐き出しパイピング
２１            ・・・吸込みパイピング
【図１】
0003161676.tif 000003
【図２】
0003161676.tif 000004
【図３】
0003161676.tif 000005